Podtech/llm-jp-corpus-v4-ja_patent huggingface dataset:
(57)【要約】【課題】鉄道車両の走行面上に存在する障害物に衝突しても、油面計測用窓を有するキャップ体を締結するボルトが損傷したり、緩みを生じたりし難い構造を持つ油面計を提供する。【解決手段】油面計１は、歯車筐１に形成された透孔の周縁部にガスケット３１を介してボルト３５により締結される、油面計測用窓３２を有するキャップ体３３を備える。キャップ体にボルトの締結方向にくぼむ凹部３６が形成され、ボルトを締結した状態でこのボルトの頭部３５ａがキャップ体に没入する。【選択図】図２
2014167389.tif 000002
【特許請求の範囲】
【請求項１】
鉄道車両の車軸に連結される歯車を収納する歯車筐に取り付けられて筐内部の油量を視認し得る油面計であって、
歯車筐に形成された透孔の周縁部にシール手段を介してボルトにより締結される、油面計測用窓を有するキャップ体を備えるものにおいて、
キャップ体にボルトの締結方向にくぼむ凹部が形成され、ボルトを締結した状態でこのボルトの頭部がキャップ体に没入することを特徴とする油面計。
【発明の詳細な説明】
【技術分野】
【０００１】
本発明は、鉄道車両の車軸に連結される歯車を収納する歯車筐に取り付けられて筐内部の油量を視認し得る油面計に関する。
【背景技術】
【０００２】
この種の油面計は例えば特許文献１で知られている。この油面計は、中央に鉛直方向に長手の油面計測用窓を有するキャップ体を備え、このキャップ体が、歯車筐の下部に形成された透孔の周縁部（座）に、ガスケットからなるシール手段を介してボルトにより締結して構成されている。そして、油面計測用窓により歯車筐内の潤滑油の油量を視認し得るようになっている。
【０００３】
ここで、例えば、降雪地域においては、鉄道車両の走行面上に氷塊（障害物）が存在することがあり、鉄道車両が低床式路面電車であるような場合には、走行面としての路面上にある氷塊が歯車筐に取り付けた油面計にも衝突することがある。このとき、キャップ体を歯車筐に締結するボルトの頭部がこのキャップ体の外表面から突出していると、衝突した氷塊によりボルトが損傷したり、緩みを生じたりするという不具合があり、これに起因してシール性能が低下して歯車筐内の潤滑油が漏れ出る虞がある。
【先行技術文献】
【特許文献】
【０００４】
【特許文献１】特開平７−２６０５４４号公報（従来技術の欄参照）
【発明の概要】
【発明が解決しようとする課題】
【０００５】
本発明は、以上の点に鑑み、鉄道車両の走行面上に存在する障害物に衝突しても、油面計測用窓を有するキャップ体を締結するボルトが損傷したり、緩みを生じたりし難い構造を持つ油面計を提供することをその課題とするものである。
【課題を解決するための手段】
【０００６】
上記の課題を解決するために、鉄道車両の車軸に連結される歯車を収納する歯車筐に取り付けられて筐内部の油量を視認し得る本発明の油面計は、歯車筐に形成された透孔の周縁部にシール手段を介してボルトにより締結される、油面計測用窓を有するキャップ体を備え、キャップ体にボルトの締結方向にくぼむ凹部が形成され、ボルトを締結した状態でこのボルトの頭部がキャップ体に没入することを特徴とする。
【０００７】
本発明によれば、キャップ体に凹部を形成し、ボルトの締結状態ではボルトの頭部がキャップ体に没入する構造としたため、氷塊などの障害物が歯車筐の油面計に衝突しても、ボルトの頭部自体には障害物が衝突することはなく、ボルトの損傷や緩みの発生を効果的に抑止することができる。
【図面の簡単な説明】
【０００８】
【図１】本発明の実施形態の油面計を備えた鉄道車両の車軸に連結される歯車筐の模式正面図。
【図２】図１に示す油面計の拡大図。
【図３】図２のＩＩＩ−ＩＩＩ線に沿う断面図。
【発明を実施するための形態】
【０００９】
以下、図面を参照して、鉄道車両の車軸に連結される歯車を収納する歯車筐に取り付けられて筐内部の油量を視認するための本発明の油面計の実施形態を説明する。以下において、「上」、「下」といった方向を示す用語は、歯車筐の車軸への取付姿勢で示す図１を基準とする。
【００１０】
図１を参照して、１は、図外の鉄道車両の車軸に連結される歯車を収納する歯車筐である。なお、歯車筐１内に収納される歯車としては公知のものが利用できるため、ここでは詳細な説明を省略する。そして、歯車筐１内に収納された潤滑油２の油量を視認するために、歯車筐１下部に本実施形態の油面計３が取り付けられている。
【００１１】
図２及び図３も参照して、油面計３は、歯車筐１下部の所定位置に機械加工された図示省略の透孔の周縁部（座）１１に、シール手段としてのガスケット３１と、油面計測用窓を構成する透明板３２と、板状部材からなるキャップ体３３とを順次重ね、ばね座金３４を外挿したボルト３５を歯車筐１に締結して構成されている。
【００１２】
キャップ体３３の中央部には、上下方向に長手の長孔３３ａが開設され、油面計３の歯車筐１への取付状態では、透明板３２を通して歯車筐１内の潤滑油２の油量を視認できるようになっている。この場合、長孔３３ａを臨む透明板３２の部分に図示省略のメモリを備えていてもよい。また、キャップ体３３の四隅にはボルト３５の締結方向にくぼむ凹部３６がざぐり加工により形成されている。この場合、凹部３６のボルト３５の締結方向の深さは、ボルト３６の締結状態にてボルト３５の頭部３５ａがキャップ体３３に没入するように設定され、これに併せて、機械的な強度を考慮してキャップ体３３の板厚が設定される。
【００１３】
以上の実施形態によれば、キャップ体３３に凹部３６を形成し、ボルト３５の締結状態ではボルト３５の頭部３５ａがキャップ体３３に没入する構造としたため、氷塊などの障害物が歯車筐１の油面計３に衝突しても、ボルト３５の頭部３５ａ自体には障害物が衝突することはなく、ボルト３５の損傷や緩みの発生を効果的に抑止することができる。
【００１４】
以上、本発明の実施形態について説明したが、本発明は上記実施形態に限定されるものではない。上記実施形態では、透明板３２と、長孔３３ａを備えたキャップ体３３とを順次重ねて油面計測用窓を備えたキャップ体としたが、油面計測用窓はキャップ体に一定に設けられていてもよい。また、上記実施形態では、４本のボルト３５で締結するものを例に説明したが、これに限定されるものでない。更に、上記実施形態では、キャップ体３３に凹部３６をざぐり加工により形成したものを例に説明したが、これに限定されるものではく、透明板３２に当接し、歯車筐１にボルトにより締結される一方の板材と、ボルトの頭部に一致する領域を切り欠いた他の板材とを貼付してキャップ体を構成し、他の板材を貼付した状態でボルト３５が没入するようにしてもよい。
【符号の説明】
【００１５】
１…歯車筐、２…潤滑油、３…油面計、３１…ガスケット（シール手段）、３２…透明板（油面計測用窓）、３３…キャップ体、３３ａ…凹部、３５…ボルト、３５ａ…頭部。
【図１】
2014167389.tif 000003
【図２】
2014167389.tif 000004
【図３】
2014167389.tif 000005
(57)【要約】      （修正有）【課題】ＩＴ広告をインターネットをしない人に届ける方法及びシステムを提供する。【解決手段】人工衛星、ＩＴ技術、通信端末の電磁波など、を使いユーザーの位置を特定し、時間と場所に合った広告をユーザーに配信、ユーザーは広告効果が有る通信端末を使い、ユーザーの周りに居るにインターネットをしない不特定多数に対して広告活動を行い時間、場所、広告密度から広告効果を査定し、広告料をユーザーに支払う。【選択図】図１
2014167623.tif 000002
【特許請求の範囲】
【請求項１】
人工衛星、ＩＴ技術、通信端末の電磁波など、を使いユーザーの位置を特定し、時間と場所に合った広告をユーザーに配信、ユーザーは広告効果が有る通信端末を使い、ユーザーの周りに居るにインターネットをしない不特定多数に対して広告活動を行い時間、場所、広告密度から広告効果を査定し、広告料をユーザーに支払う方法及びシステム
【請求項２】
ＩＴ広告をインターネットをしない人に、直接届ける方法及び、システム
【発明の詳細な説明】
【技術分野】
【０００１】本発明は、ＩＴ技術に関するものである。
【背景技術】
【０００２】従来のＩＴ広告はインターネットユーザー１人を対象にした物で、インターネットをしない人には、効果のない物でした。
【発明の概要】
【発明が解決しようとする課題】
【０００３】ＩＴ広告はインターネットユーザー１人を対象にした物で、インターネットをしない人には、効果がなく、ＩＴ広告を表示したユーザーの利益にもなりません。
【課題を解決するための手段】
【０００４】人工衛星、ＩＴ技術、通信端末の電磁波を使いユーザーの位置を特定し、企業は時間と場所に合った広告をユーザーに配信、ユーザーは図２、図３の通信端末を使い、ユーザーの周りに居るにインターネットをしない不特定多数に対して広告活動を行い企業は時間、場所、広告密度から広告効果を査定し、広告料をユーザーに支払う。
【発明の効果】
【０００５】企業はＩＴ広告をインターネットをしない人に届ける事ができ、ユーザーは広告料を得る事で無料の通信端末、通信環境を手にし、今日の食事に事欠く人でもインターネットにアクセス出来る様になる。
【図面の簡単な説明】
【０００６】
【図１】ユーザーの位置を特定し、時間と場所に応じた広告をユーザーに配信、広告効果を査定し、広告料を振り込む方法、及びシステムの図である
【図２】湾曲可能な表示機器を、搭載したマスク型通信端末と湾曲可能な表示機器を、搭載した衣服型ディスプレイ
【図３】通信端末と防水両面ディスプレイを、搭載した移動手段
【図４】通信端末搭載し、外装がディスプレイな移動手段
【発明を実施するための形態】
【０００７】人工衛星、ＩＴ技術、通信端末の電磁波を使いユーザーの位置を特定し、時間と場所に合った広告をユーザーに配信、ユーザーは図２、図３の通信端末を使い、ユーザーの周りに居るにインターネットをしない不特定多数に対して広告活動を行い広告効果に応じた所得を得る事で、無料の通信端末、通信環境を手にする事が出来る。
【図１】
2014167623.tif 000003
【図２】
2014167623.tif 000004
【図３】
2014167623.tif 000005
【図４】
2014167623.tif 000006
(57)【要約】【課題】  キーボードと、そのキーボードを置く机との間に間隔を持たせる。【解決手段】  キーボードに脚を取り付けることにより、キーボードとそのキーボードを置く机との間に間隔をもたせる様に構成したことを特徴とするキーボード。【選択図】図１
2014132428.tif 000002
【特許請求の範囲】
【請求項１】
キーボードに脚を取り付けることにより、キーボードとそのキーボードを置く机との間に間隔をもたせる様に構成したことを特徴とする高床式キーボード。
【発明の詳細な説明】
【技術分野】
【０００１】  本発明は、キーボードに脚を取り付け、キーボードと、そのキーボードを置く机との間に間隔を持たせるキーボードに関するものである。
【背景技術】
【０００２】  従来、キーボードは机に直接置いて使用するものである。そのためキーボードと、そのキーボードを置く机が密着する。
【発明の概要】
【発明が解決しようとする課題】
【０００３】  キーボードとそのキーボードを置く机との間に間隔がないため、キーボードの裏面や、キーボードの裏面と机の間の空間を活用することができない。
本発明は以上の問題点を解決しようとするものである。
【課題を解決するための手段】
【０００４】  上記問題点を解決するため本発明は、キーボードに脚を取り付け、キーボードと、そのキーボードの間に、最低でも親指が入る程度の間隔をもたせるようにする。
以上の構成よりなるキーボード。
【発明の効果】
【０００５】  キーボードと、そのキーボードを置く机との間に、最低でも親指が入る程度の間隔をとることで、キーボードの裏面にボタンやジョイスティックを実装する等、キーボードと、そのキーボードを置く机との間の空間を活用することができるので便利である。
【図面の簡単な説明】
【０００６】
【図１】  本発明の斜視図である。
【図２】  本発明の使用状態を示した斜視図である。
【発明を実施するための形態】
【０００７】以下、本発明の実施の形態について説明する。
キーボード本体（１）の裏面四隅に、適切な長さの脚（２）を取り付ける。
本発明を使用するときは、キーボードの裏面にオプションを取り付けることで、キーボードと置く机との間の空間を活用する。例えば、キーボードの裏面にジョイスティックを取り付ければ、キーボードを入力しながら手の位置を変えることなく、親指でジョイスティックを操作し、マウスとして操作することが可能となる。また、キーボードの裏面にボタンを取り付け、多用する操作を割り当てれば、手の位置を変えることなく親指でそのボタンを押し、そのボタンに割り当てられた操作が可能となる。
【符号の説明】
【０００８】      １  キーボード本体
２  脚
【図１】
2014132428.tif 000003
【図２】
2014132428.tif 000004
(57)【要約】      （修正有）【課題】直流電力遮断装置の遮断動作時に発生する過渡現象に依り、超高電力の発生を阻止可能な遮断装置を提供する。【解決手段】短絡スイッチ１０４にて、一瞬直流相送配電網を短絡し、遮断装置のスイッチ１０５を開放する。次いで短絡スイッチ１０４を開放する。此の時発生する過渡現象による超高電力は、過渡電力吸収部で吸収し、他の送配電網で再利用する。【選択図】図１
2014132544.tif 000002
【特許請求の範囲】
【請求項１】
直流送配電網に挿入した直流電力遮断装置に於いて、電力遮断器の電源側を短絡スイッチで一瞬短絡し、電力遮断器の電圧電流を零とし、その間に電力遮断器を開放し電力を遮断する。
次いで短絡スイッチを開放し電圧を復旧する。
此の時発生する過渡電力を過渡電力吸収部で吸収する。
【請求項２】
負荷側に逆電圧向きにダイオードを挿入する。
【発明の詳細な説明】
【技術分野】
【０００１】  この発明は、直流送配電網（以下網と記す）に於ける地絡、短絡等の異常時及び負荷電力不要時に、直流電力を遮断する装置に関する。
【背景技術】
【０００２】  従来は、直流電力遮断装置（以下遮断装置と記す）が動作する遮断時に起る、過渡現象に依り、超高電力が発生しコロナ放電及び遮断装置で火花放電が発生し、遮断装置を焼損した。
【発明の開示】
【発明が解決しようとする課題】
【０００３】  この発明は、前項０００２の過渡現象に依り、発生する過渡超高電力を吸収し、他の網で再利用する事に依り、過渡超高電力を抑制する。【０００４】  依って、コロナ放電及び遮断装置での火花放電を抑止する。
【課題を解決するための手段】
【０００５】  この発明のシステム構成図を図１に示す。直流電源１０１より網を経て遮断装置１０５負荷１０６へ電力を供給する。途中、網の分布インダクタンス１０２（以下Ｌと記す）が存在する。過渡電力は、Ｌ及び負荷に内在するインダクタンスに依り発生する。
【発明の効果】
【０００６】  送配電網の電力損失を軽減するため、直流送電が脚光を浴びて来た。特に欧州等に於いては、顕著である。我が国に於いても直流送電が普及すれば、原子力発電は不要になる。
【発明を実施するための最良の形態】
【０００７】  実施例に同じ
【実施例】
【０００８】  実施例を図１に示す。スイッチ（以下ＳＷと記す）１０４にて、一瞬網を短絡し、ＳＷ１０５を開放する。次いでＳＷ１０４を開放する。
此の時発生する過渡超高電力は、過渡電力吸収部で吸収し、他の網で再利用する。【０００９】
【産業上の利用可能性】
【００１２】送配電網の伝送損失を軽減し省電力化を図る。
【図面の簡単な説明】
【００１３】
【図１】  システム構成図
【符号の説明】  ［１０１］    直流電源
［１０２］    網の分布インダクタンス
［１０３］    過渡電力吸収部
［１０４］    短絡スイッチ
［１０５］    電力遮断器
［１０６］    負荷
【図１】
2014132544.tif 000003
(57)【要約】      （修正有）【課題】スマートフォンにて音楽等音声を聴く際に煩わしさや不快感を解消するネックストラップカバーを提供する。【解決手段】ネックストラップカバー１の淵に音声コード３を内蔵しネックストラップ４にまで配線し、適当な箇所からイヤーフォンコード５を取り出し音声を楽しむことを特徴とするスマートフォン用ネックストラップカバー。【選択図】図１
2014132738.tif 000002
【特許請求の範囲】
【請求項１】
ネックストラップカバーにイヤーフォンジャックを設け、ネックストラップカバーの淵に音声コードを埋め込みイヤーフォンジャックからネックストラップ部にまで配線し、イヤーフォンコードまで配線を設けたイヤーフォン付きネックストラップカバー。
【発明の詳細な説明】
【技術分野】
【０００１】  本発明は、スマートフォンを携帯する際のイヤーフォン付きネックストラップカバーに関するものである。
【背景技術】
【０００２】  従来、スマートフォンをネックストラップカバーで携帯し、スマートフォンにて音楽等音声を聞く際、イヤーフォンジャックにイヤーフォンやヘッドフォンを指す、もしくはｂｌｕｅｔｏｏｔｈを使用していた。
【先行技術文献】
【特許文献】
【０００３】
【発明の概要】
【発明が解決しようとする課題】
【０００４】イヤーフォンやヘッドフォン等を使用する際、イヤーフォンコードが洋服や腕などに引っ掛かるという煩わしさがあった。
また、現在はｂｌｕｅｔｏｏｔｈという無線で電波を飛ばすイヤーフォンもあるが、耳に直接かけるため不快感や見た目の問題等があった。
本発明は、以上の問題点を解決するためになされたものである。
【問題を解決するための手段】
【０００５】上記の問題点を解決するため本発明はネックストラップカバーにイヤーフォンジャックや音声コードを埋め込みカバーの下部から首にかけるストラップに左右でそれぞれ音声コードを配線しストラップの適当な箇所からイヤーフォン用の配線を取り出す。
【発明の効果】
【０００６】従来のイヤーフォンコードやｂｌｕｅｔｏｏｔｈ対応のイヤーフォンの煩わしさを改善する。外観もスッキリする。
【図面の簡単な説明】
【０００７】
【図１】本発明の全体図
【図２】本発明の使用状態を示す外観図
【発明を実施するための形態】
【０００８】以下、本発明の実施の形態を説明する。
（イ）硬化ラバー状のネックストラップカバー（１）にイヤーフォンジャック（２）を内蔵しイヤーフォンジャック（２）からネックストラップカバー（１）の淵の部分に音声コード（３）を埋め込む。
（ロ）ネックストラップカバー（１）の淵の部分に内蔵され配線された音声コード（３）はネックストラップ（４）の内部に配線され途中分岐したイヤーフォンコード（５）に配線される。
本発明は、以上のような構造である。
本発明を使用するときは、ネックストラップカバー（１）のくぼみ部分にスマートフォンを装着する。
その際、スマートフォン本体のメス側イヤーフォンジャックにイヤーフォンジャック（２）を指し装着する。
ネックストラップ（４）を首にかけ、イヤーフォンコード（５）先端のイヤーフォンを耳に装着し使用する。
【符号の説明】１  ネックストラップカバー  ２  イヤーフォンジャック  ３  音声コード
４  ネックストラップ  ５  イヤーフォンコード
【図１】
2014132738.tif 000003
【図２】
2014132738.tif 000004
(57)【要約】【課題】植物の花芽形成への影響を無くした、防蛾装置、防蚊装置の提供。【解決手段】緑色光と黄緑光を発光する防蛾装置と防蚊装置である。防蛾装置の光源は、ピーク波長５２５ｎｍ〜５３０ｎｍ付近となるＬＥＤ群、防蚊装置の光源は、ピーク波長５５０ｎｍ〜５５５ｎｍ付近となるＬＥＤ群を有する発光装置である。【選択図】図４
2014132886.tif 000002
【特許請求の範囲】
【請求項１】
５００ｎｍ〜５４０ｎｍの波長域を有する緑色光のみを有するＬＥＤ群ランプでピーク波長５２５ｎｍ〜５３０ｎｍ付近となるＬＥＤ防蛾装置。
【請求項２】
５４０ｎｍ〜５５５ｎｍの波長域を有する黄緑色光のみを有するＬＥＤ群ランプでピーク波長５５０ｎｍ〜５５５ｎｍ付近となるＬＥＤ防蚊装置。
【発明の詳細な説明】
【技術分野】
【０００１】  本発明は、農業分野もしくは家屋、工場、店舗などの商業施設において昆虫を防除するために設置する、防蛾装置・防蚊装置に関するものである。
【背景技術】
【０００２】  植物の花芽形成への影響を低減した防蛾灯を提供する内容の公開特許公報による。【０００３】  夜峨・蚊類のほとんどが夜行性のため、周囲が暗くなる夜間に活動するが、周囲が明るい昼間はほとんど活動しない。
【先行技術文献】
【特許文献】
【０００４】
【特許文献１】  特許出番公開番号  特開２００５−３０４３４０（Ｐ２００５−３０４３４０）
【発明の概要】
【発明が解決しようとする課題】
【０００５】  ピーク波長５２５ｎｍの防蛾装置、ピーク波長５５０ｎｍの防蚊装置は、植物の花芽形成に影響が少ない波長といわれているが、実際の圃場での菊栽培で活用したところ照度の強度に対して多大なる影響が出ることを確認した。【０００６】  ５００ｎｍ〜５４０ｎｍの波長域を有する緑色光のみを有するＬＥＤ群ランプでピーク波長域５２５ｎｍ〜５３０ｎｍ付近となるＬＥＤ防蛾装置。【０００７】  ５３５ｎｍ〜５６０ｎｍの波長域を有する黄緑光のみを有するＬＥＤ群ランプで、ピーク波長５４５ｎｍ〜５５０ｎｍ付近となる防蚊装置。
【課題を解決するための手段】
【０００８】  長日植物に対しては、葉肉が厚くなり、短日植物に対しては花芽への影響が低照度から出ることが判った。
植物の種類により花芽分化する照度が異なることも判明した。【０００９】  防蛾装置・防蚊装置は、蛾・蚊の活動防止に対しては充分な照度を有し、植物の花芽形成には影響の出ない照度に制御した装置である。
【発明の効果】
【００１０】  ＬＥＤ防蛾・防蚊装置は省エネルギー商品の代表でもあり、過去のどの商品に比較してもエネルギー消費は少なく、かつ経年劣化の少ない商品である。
経済性の優位性は大である。
【図面の簡単な説明】
【００１１】
【図１】  防蛾装置の効果表である。
【図２】  防蚊装置の効果表である。
【図３】  防蛾装置、防蚊装置の波長表である。
【図４】  防蛾装置の図である。
【図５】  防蚊装置の図である。
【図６】  防蛾装置、防蚊装置の照度による花芽影響と防蛾・防蚊効果の関係図である。
【発明を実施するための形態】
【００１２】  図１は、ピーマンの圃場７ｍ２をもって試験を実施した。
対照区、非対照区は同面積で、対照区、非対照区は１００ｍの距離をおき調査した。
その結果は明らかに、対照区での蛾の被害はなく、非対照区はピーマンの生産が大変悪かった。
【００１３】  図２は、蚊への効果を示す図である。
誘引灯で集めた蚊の群れの中に、防蚊装置を点灯すると防蚊装置の照度を強める毎に数が減少した。
【００１４】図３は、防蛾装置、防蚊装置の波長を表す図である。
【００１５】図４は、防蛾装置の図である。
（１）は、筐体
（２）は、ピーク波長５２５ｎｍ〜５３０ｎｍのＬＥＤ群ランプ
（３）は、電源
【００１６】図５は、防蚊装置の図である。
（１）は、筐体
（２）は、ピーク波長５５０ｎｍ〜５５５ｎｍのＬＥＤ群ランプ
（３）は、電源
【００１７】  図６は、防蛾装置、防蚊装置の照度による花芽影響と防蛾・防蚊効果の関係図である。「Ａ」の範囲の照度では、花芽に対する影響が少なく、防蛾・防蚊効果のある区域と判明できた。
【符号の説明】
【００１８】１  筐体
２  ピーク波長５２５ｎｍ〜５３０ｎｍのＬＥＤ群ランプ
３  電源
４  ピーク波長５２５ｎｍの波長形
５  ピーク波長５５０ｎｍの波長形
６  ピーク波長５５０ｎｍ〜５５５ｎｍのＬＥＤ群ランプ
【図１】
2014132886.tif 000003
【図２】
2014132886.tif 000004
【図３】
2014132886.tif 000005
【図４】
2014132886.tif 000006
【図５】
2014132886.tif 000007
【図６】
2014132886.tif 000008
(57)【要約】【課題】従来のカメラを保護するためのカメラケースは、カメラ本体に固着されたレンズの形状に合わせて予め立体成型を施した物であるため、長さや直径の異なるレンズを装着可能なレンズ交換式のカメラに使用すると、装着できるレンズのサイズが制限される、あるいは無駄な空隙ができてしまうなど、使いにくい面があります。【解決手段】本発明は、カメラケース上部前方をウイングとして左右に延長し、これによりレンズを包み込むことにより、様々な直径と長さのレンズを装着したカメラを収納可能なカメラケースを実現することを可能とするものである【選択図】図２
2014132298.tif 000002
【特許請求の範囲】
【請求項１】
上面前方部をウイングとして左右に張り出し、このウイングにより包み込むことで、口径が異なるレンズに交換しても、レンズ鏡筒を保護可能なカメラケース。
【請求項２】
基部をリング操作の邪魔にならない幅でレンズ下部まで延長し、この延長部にウイング部を留め合わせ可能とした、請求項１に記載のカメラケース。
【発明の詳細な説明】
【技術分野】
【０００１】
本発明はレンズ交換式のデジタルカメラなどを保護するためのケースに関する。
３０４５ＢＡ２２
【背景技術】
【０００２】
従来のカメラを保護するためのカメラケースは、カメラ本体に固着されたレンズの形状に合わせて予め立体成型を施した物であるため、長さや直径の異なるレンズを装着可能なレンズ交換式のカメラに使用すると、装着できるレンズのサイズが制限される、あるいは無駄な空隙ができてしまうなど、使いにくい面がある。
【先行技術文献】
【特許文献】
【０００３】
【特許文献１】願51202540817
【発明の概要】
【発明が解決しようとする課題】
【０００４】
レンズ交換式のデジタルカメラにおいて、直径や長さやの異なる各種レンズを装着した状態でも、カメラシステム全体を保護することが可能なカメラケースを実現することを目的とする。
【課題を解決するための手段】
【０００５】
本発明は、レンズ鏡筒の外周部の長さに応じて重る量が可変なウイング部と、レンズ長に応じて被さる量が可変なフロントフラップ部より構成されるレンズ保護部位を持つことにより上記課題を達成するものである。
【０００６】
なお、この発明においてカメラケースとは、カメラ本体に装着したまま撮影操作が可能なものを言い、出願番号51202540817に記載されたような、撮影操作時に取り外すものをカメラカバーと言う。
【０００７】
図１において  このカメラケースを展開したときの、上方からの俯瞰図を示す。
カメラ本体１０は、カメラケースの基部６にはめ込まれる。  この基部６は、カメラ本体の底部、および必要に応じて前面下部、側面下部を包み込める物であれば、通常のカメラケースと同じように皮革など硬質の素材や、布など柔軟性がある素材など特に限定はされずに使用可能である。
背面部２はディスプレーの液晶を保護するために硬質の保護素材を内蔵するのが望ましい。  基部６と背面部２の間は、図４Ｂに示すように撮影時に折り曲げ可能である必要がある。
また、少なくとも、ウイング部３および４、上面部１、フロントフラップ部５に用いられる素材はレンズ部１１を包み込めるだけの何撓性を有する必要がある。
【０００８】
図２には  カメラケースをカメラに装着および梱包途中の状態を示す。
図３には  このカメラケースにより保護梱包された、運搬時のカメラの状態をしめす。
【０００９】
カメラケースの基部６をカメラ本体に装着するには、通常カメラ本体１０に装備されている１／４インチ三脚ねじ穴を使って、幅広のフランジを持つ三脚ねじ１６ａ、１６ｂを用いてカメラ本体に固定する。  あるいは、ストラップ取り付け部１４を利用して、これにはめ込まれる基部の延長部１５により基部６をつり下げる。  あるいは、装着されたレンズ１１の鏡筒に前面保持部１２を巻き付けて基部６の前部立ち上がり部分を安定させるなどの方法がありる。  これらのうち、どれかひとつ、あるいは複数の方法を組み合わせて適用することにより、基部６をカメラ本体１０に装着することが可能となる。
【００１０】
図４のCとDに  それぞれ口径の異なるレンズ１１ａおよび１１ｂを装着した時の  ウイング部の重なり方の違いを示す。  レンズの下側に回り込んだウイング部３および４は、それぞれの先端部に設置した面ファスナー８および９などの結合具で互いを固定する。
【００１１】
この場合、図５の１７のような、ウイング部３および４の固定を補助するための固定補助部１７を基部６の下部からレンズ１１下部に延長して設置することも出来る。  この固定補助部１７の幅を狭くすることにより、撮影操作時にカメラケースを装着したままでも、レンズの操作リング１８を操作可能となる。
【００１２】
なお、このカメラケースに固定補助部１７を付属させたときの形状は、出願番号51202540817に記載のカメラの保護カバーに類似している。
違いは、交換レンズの操作リング１８を掴んだときに、操作の邪魔にならないように固定補助部１７の幅Wが狭いことである。
【００１３】
フロントフラップ部５は  十分に伸縮性のある素材で構成し、全長の長いレンズを装着したとぃでも突出部分を覆えるだけの長さが必要です。
【図面の簡単な説明】
【００１４】
【図１】カメラケースを展開したときの、上方からの俯瞰図を示す。
【図２】装着途中の状態を示す。
【図３】カメラケースに梱包された、運搬時のカメラの状態をしめす。
【図４】Ａ：右側側面図  ウイング部によりレンズを被覆した状態。  Ｂ：右側側面図  撮影時の状態。  Ｃ：正面図  小口径のレンズを装着した場合のウイング部の重なり具合。  Ｄ：正面図  大口径のレンズを装着した場合のウイング部の重なり具合。
【図５】補助
【符号の説明】
【００１５】
１  上面部
２  背面部
３  ウイング部左側
４  ウイング部右側
５  フロントフラップ部
６  基部
７  カメラ本体およびレンズが収まる位置を示す破線。
８  ウイング部留め具
９  ウイング部留め具
１０  カメラ本体。
１１  レンズ。  ａ：小口径レンズ  ｂ：大口径レンズ
１２  前面保持部
１３  肩掛けストラップ。
１４  ストラップ取り付け部
１５  基部の延長部
１６  三脚ねじ  ａ：未装着の状態  ｂ：装着時の状態
１７  固定補助部
１８  ズーム、絞り、フォーカスリング
１９  撮影者の手の位置を表すハッチング。
２０  前面保持部留め具
２１  ウイング部と対になる留め具
【図１】
2014132298.tif 000003
【図２】
2014132298.tif 000004
【図３】
2014132298.tif 000005
【図４】
2014132298.tif 000006
【図５】
2014132298.tif 000007
(57)【要約】【課題】電力の需用が増えて供給不足となり、発電の強化が求められているが、原子力発電には安全面で、水力発電には落差のある水資源の限界、火力発電には燃料の高騰、と、問題山積で、解決がむつかしい。それで、自然エネルギーの開発が求められている。この発明はその一つで、地球の引力を利用して、これを解決しようとするものである。【解決手段】この発明は、永久磁石を可動重量物とし、これを磁力によって摺動させ、強性的にモーメントのバランスを崩す。モーメントが片側が強くなることにより左右のバランスが崩れ、そして大きい側の方から下側に回転を始める。そしてある一定の回転角になったら電磁石２、５、６の極性を切替え、連続して回転するようにした。本発明により地球の引力と云う不滅で無料の自然エネルギーの利用が可能となり、エネルギー資源の枯渇を防ぐことができる。【選択図】図１
2014132170.tif 000002
【特許請求の範囲】
【請求項１】
中心軸に対し、左右対称の摺動物を有し、その摺動物が、引力（重力）によって、モーメントがバランスした位置で静止するのを、強性的にそのバランスを崩し、片寄ったモーメントが連続して働くようにして連続回転することを特徴とした回転装置
【請求項２】
本発明のエンジンを動力とした発電機および機械装置
【発明の詳細な説明】
【技術分野】
【０００１】この発明は、中心軸を持つ左右対称の物体は、モーメントが互いに反対方向に働き、モーメントがバランスした位置で静止する。これを、磁石の吸引力、反発力を利用して強制的にバランスを崩し、左右のモーメントの差によって回転力を生じさせる。また、ある一定の回転角になると、その磁石の極性を切替え、連続して同一方向に連続回転するようにしたものである。
【発明の概要】
【発明が解決しようとする課題】
【０００２】物理の常識では、中心軸をもつ左右対称の物体は、モーメントがバランスした位置で静止する。と云うものである。この発明は、バランスを強制的に崩し、回転力を生じさせ、しかも連続して回転するようにしたものである。
【課題を解決するための手段】
【０００３】本発明は、地球の引力と云う、消滅することも無く、しかも無料のエネルギーを利用するものである。そして、この引力と同質とされている磁力に着目し、図１で示すように、固定された電磁石２、５、６と可動永久磁石３、４との間に働く、吸引力と反発力をたくみに組み合わせて、連続回転させるものである。
また、複数に連結することで、円滑に回転させることができる。
【発明の効果】
【０００４】本発明のエンジンを、発電機や機械装置に利用することにより、今迄の動力源に必要だった石油やガス等の必要が無くなり、エネルギー資源の枯渇を防ぐことができる。
【図面の簡単な説明】
【０００５】
【図１】本発明の原理を示す構造図である。シャフト８の中心部に固定された電磁石５、６を設ける。そして、電磁石２と５、２と６の間に摺動可能な永久磁石３と４を設ける。回転角０°（水平の状態）の時に電流を流して図１に示すような極性にする。すると、永久磁石３は内側に、永久磁石４は外側に摺動して吸着される。すると、永久磁３と４に働くモーメントのバランスが崩れ、モーメントの大きい４が下の方向に回転を始める。そして、永久磁石４が回転角９０°になった近辺で、電磁石２、５、６に流れる電流を逆に切替える。すると電磁石２、５、６の極性が切変わり、永久磁石４は内側に、永久磁石３は外側に吸着され、回転を続ける。そしてまた回転角が２７０°近辺になった位置で、電磁石に流れる電流を切替える。これで頭初の状態となり、回転を続ける。回転角９０°と２７０°の近辺では回転モーメントが弱くなるので、例えば９０°毎、または４５°毎と、複数連結すると円滑に回転させることが出来る
【符号の説明】
【０００６】１・・・・電磁コイル
２・・・・電磁石（固定、電流方向の切替えにより極性ＮＳが変わる。）
３・・・・永久磁石ａ（摺動可動する、極性は変化しない。）
４・・・・永久磁石ｂ（摺動可動する、極性は変化しない。）
５・・・・電磁石（固定、電流方向の切替えにより極性ＮＳが変わる。）
６・・・・電磁石（固定、電流方向の切替えにより極性ＮＳが変わる。）
７・・・・電磁コイル
８・・・・シャフト
【図１】
2014132170.tif 000003
(57)【要約】【課題】水圧、重力、浮力を利用したエネルギー発生装置で構造が簡単で自然現象による不具合を生じないエネルギー発生装置を提供する【解決手段】円筒に空気袋、重りの順に設けた水圧移動部を円空柱の内側に連続して設置する水圧最大時に重りが動き、対象となる水圧移動部の重りがワイヤーで連動する重りが動く間のみバルブが開き隣接する空気袋に空気が移動する、浮力により空気は常時、移動可能状態であり、水圧により重りが動く時の負荷が小さい重りの動き、バルブの開閉を連続して行うことにより重りの重量差で円空柱自体を回転させて、エネルギーを発生しようとするものである【選択図】図１
2014132169.tif 000002
【特許請求の範囲】
【請求項１】
イ  円筒に空気袋、重りの順に設置し水圧で重りが移動する水圧移動部を作製する
ロ  水圧移動部の空気袋側に吸気口を設け、配管とバルブを接続する
ハ  水圧移動部の重り側にワイヤー接続部を設ける
ニ  水圧移動部−配管−バルブー配管−水圧移動部と連続するようの接続する
ホ  水圧移動部を円空柱の内側に取り付ける
ヘ  水圧移動部の重りと対象になる水圧移動部の重りが連動するようにワイヤーを取り付ける
【発明の詳細な説明】
【技術分野】
【０００１】本発明は、水圧、重力、浮力を利用したエネルギー発生装置に関するものである
【背景技術】
【０００２】従来、水力、風力、太陽光を利用したエネルギー発生装置がある
【発明の開示】
【発明が解決しようとする課題】
【０００３】次のような問題があった
イ  自然現象によりエネルギー発生装置に不具合が生じる
ロ  環境、エネルギー発生量に問題があり本発明はこれらの問題点を解決するためになされたものである
【問題点を解決するための手段】
【０００４】イ  円筒に空気袋、重りの順に設置し水圧で重りが移動する水圧移動部を作製する
ロ  水圧移動部の空気袋側に吸気口を設け、配管とバルブを接続する
ハ  水圧移動部の重り側にワイヤー接続部を設ける
ホ  水圧移動部を円空柱の内側に取り付ける
ヘ  水圧移動部の重りと対象になる水圧移動部の重りが連動するようにワイヤーを取り付ける
【発明の効果】
【０００５】イ  自然界の水圧、重力、浮力がエネルギー源のため環境への影響が少ない
ロ  水中で重りが動いた重量差により円空柱自体を回転してエネルギーを得るので構造が簡単である
ニ  円空柱を多重、多連にすればエネルギー発生量は増大する
【発明を実施するための最良の形態】
【０００６】以下、本発明の形態について説明する
イ  円筒（１）に、空気袋（２）、重り（３）を順に設置し水圧で重りが移動する水圧移動部（図２）を作製する
ロ  水圧移動部の空気袋側に吸気口（４）を設け、配管（５）、バルブ（６）を接続する
ハ  水圧移動部の重り側にワイヤー接続部（７）を設ける
ニ  水圧移動部−配管−バルブー配管−水圧移動部と連続するように接続する
ホ  水圧移動部を円空柱（８）の内側に取り付ける
ヘ  水圧移動部（９）の重りと対象になる水圧移動部（１０）の重りが連動するようにワイヤー（１１）を取り付ける
本発明は以上のような構造で、これを利用する時は全体を水中で行う
水圧移動部（９）が最大水圧とき重りが動き、水圧移動部（１０）の重りが接続されたワイターで連動する
水圧移動部（９）の重りが動く間のみバルブ（１２）が開き
水圧移動部（９）の空気袋より隣接する空気袋に空気を移動させる
水圧移動部（９）と水圧移動部（１０）の重りが移動した重量差により円空柱自体を回転させてエネルギーを得る
【図面の簡単な説明】
【０００７】
【図１】本発明の側面図
【図２】本発明の一部断面図
【符号の説明】１              円筒
２              空気袋
３              重り
４              吸気口
５              配管
６              バルブ
７              ワイヤー接続部
８              円空柱
９              水圧移動部
１０            水圧移動部
１１            ワイヤー
１２            バルブ
【図１】
2014132169.tif 000003
【図２】
2014132169.tif 000004
(57)【要約】      （修正有）【課題】ダムの構築や設備等に多くの場所を必要としない水車式の発電装置を提供する。【解決手段】水槽１底部中央に穴を空け、そこに発電機４に連動したプロペラ２を設置、水槽を、水又は海水で満杯にし、水槽底部の水圧を高め、水の持つ自然的習性、下へ出ようとする水力で発電機に連動したプロペラを回転させ発電をするものである。水槽を常時満杯にする事で、水槽底部の水圧が一定の高さとなり、発電機連動軸プロペラの強力で安定した回転が得られる。この水槽貯水、水圧プロペラ回転発電方法は、給水に於いてダム等の構築は不要で、又発電設備等もコンパクトな為に場所を多く必要としない。【選択図】図１
2014132168.tif 000002
【特許請求の範囲】
【請求項１】
水槽に、水又は海水を入れ水槽底部に穴をあけ、水圧による水力を使いプロペラ等を回転させ発電する方法。
【発明の詳細な説明】
【技術分野】常時水槽へ、水や海水を満杯に入れ水槽底部中央に穴を開けて、水の自然的習性である下へ出ようとする水圧力で、発電機に連動した軸のプロペラを回転させ発電機にて電気を発生させて行くものである。
【背景技術】現在の水力発電は、川の上流にダムを構築し高い所から落差を使い流水の勢いで水車を回転させる方法がほとんどであり、水槽に貯水して、水圧力を使いプロペラを回転させての発電する方法は無い。
【発明の概要】
【発明が解決しようとする課題】既存の水力発電は、ダム等の構築により多くの場所が水没され、自然環境の破壊となる。
また既存する火力、原子力発電に於いては、使用する燃料に空気汚染等の多くの不具合問題があり、既存発電に成り代わるクリーンで安全な発電エネルギー源が求められている。
【課題を解決するための手段】この方法での発電は、少量の水の引き込みにて発電が可能であり、流水式のようなダム等の構築は不要な為多くの場所を必要としない。
またクリーンで安全な発電方法であり、課題の不具合問題が解決出来る。
【発明の効果】水槽を満杯貯水する事で底部の水圧が高くなり脱水力も増す為、少量の水でも無駄なく効率よく使える。
また水発電はクリーンで安全な発電エネルギー源である。
【産業上の利用可能性】この発電方法は、水槽の大きさや、発電装置の規模等は、その場所での給水量に応じて決めれる為、小さくも大きくも出来て便利である。
また電気が低コストで生産出来る為、家庭用も産業上も利用の可能性が多大である。
【図面の簡単な説明】
【図】断面図
【符号の説明】１  水槽
２  プロペラ
３  発電機連動回転軸
４  発電機
５  発電機連動回転軸土台
６  回転ベアリング
７  防水カバー
８  水槽土台
９  排水路
【発明を実施するための最良の形態】この方法の発電においては、プロペラ回転を一定に保つ必要があり、その為には、水槽底部から出ていく水量と同じ量の水を上から入れて、常時水槽を満杯にしておかなければならない。
【図１】
2014132168.tif 000003
(57)【要約】      （修正有）【課題】劣化、脱落の危険性のある吊り金具およびアンカーボルトを使用せずに支持される道路トンネル天井板を提供する。【解決手段】送気ダクト側天井板パネル１と排気ダクト側天井板パネル２を上方に山型になるよう組み合わせ、トンネル側面の天井板受台３と両パネルの押し合う構造のみでこれらを支持する構造を特徴とする。【選択図】図１
2014132146.tif 000002
【特許請求の範囲】
【請求項１】
送気ダクト側天井板パネル（１）と排気ダクト側天井板パネル（２）を山型に組み合わせた道路トンネル天井板。
【請求項２】
送気ダクト側天井板パネル（１）と排気ダクト側天井板パネル（２）が山型に組み合わさる構造となる、道路トンネルの天井板保持方法。
【発明の詳細な説明】
【技術分野】
【０００１】  この発明は、道路トンネルの天井板の落下防止構造に関するものである。
【背景技術】
【０００２】  従来、道路天井板は、トンネルの天井壁にアンカーボルトにより固定された釣り金具により固定されていた。
【先行技術文献】
【特許文献】
【０００３】
【特許文献１】
【発明の概要】
【発明が解決しようとする課題】
【０００４】  これは次のような欠点があった。
天井壁に埋め込まれアンカーボルトは経年変化等により脱落の可能性があり、定期的に十分な点検を要した。また、点検によっても劣化等が発見されない場合には、天井板の落下による事故の可能性があった。
本発明は、これらの問題を解決するものである。
【課題を解決するための手段】
【０００５】  送気ダクト側天井板パネルと排気ダクト側天井板パネルを上方に山型になるよう組み合わせ、トンネル側面の天井板受台と両パネルの押し合う構造のみでこれらを支持するようにする。
本発明は、以上の構造をもつ天井板である。
【発明の効果】
【０００６】  アンカーボルトを必要とせずに天井板が支持されるので、アンカーボルト脱落による天井板落下の危険性が排除できる。また、アンカーボルト固定部の点検の必要もなくなる。
【図面の簡単な説明】
【０００７】
【図１】本発明の構造を示すトンネル断面図である。
【発明を実施するための形態】
【０００８】  以下、本発明を実施するための形態について説明する。
送気ダクト側天井板パネル（１）と排気ダクト側天井板パネル（２）は、それぞれの側でトンネル側面壁に設けられた天井板受台（３）と隔壁板下側受台（６）により支持される。送気ダクト側天井板パネル（１）と排気ダクト側天井板パネル（２）の長さを、天井板受台（３）と隔壁板下側受台（６）との水平距離より大きくすることにより、両側の天井板パネルは山型の構造をもち、送気ダクト側天井板パネル（１）と排気ダクト側天井板パネル（２）がお互いに押し合うことで、トンネル天井からのアンカーボルトと釣り金具による重量保持に依存することなく、隔壁板下側受台（６）と天井板受台（３）との位置ずれを防止する程度の固定で、通行部分（９）への落下を防止することができる。
【符号の説明】
【０００９】１  送気ダクト側天井板パネル
２  排気ダクト側天井板パネル
３  天井板受台
４  隔壁板
５  隔壁板上側受台
６  隔壁板下側受台
７  送気ダクト
８  排気ダクト
９  通行部分
【図１】
2014132146.tif 000003
(57)【要約】      （修正有）【課題】フレコンから固結した内容物を排出するのは非常に難しく、棒でたたいたり、突っついたり、落下させたり、フォークリフトで押しつぶしたり、挟んだりしていますが、人力でほぐすのは難く、フォークリフトは目的外の使用となり安全上の問題があります。また、ほぐし程度の均一化の為、ほぐしを自動化することも求められるようになりました。【解決手段】ほぐしアームでフレコンを挟んで、固結したフレコンをほぐしてフレコン下部の排出口から排出できるようにする装置を工場で製作して、自動車で運搬できるようにコンパクトにまとめたほぐし専用機を供給し、ほぐし動作を自動化して、ほぐし程度の均一化を可能にする。【選択図】図４
2014122068.tif 000002
【特許請求の範囲】
【請求項１】
ほぐしアームを動かすアーム駆動油圧シリンダーのロット先端金具をアームが挟む方向に向けて、アームが挟む方向に配置してアームと連結されたアーム駆動油圧シリンダー支持体に組み込んで、同油圧シリンダーの最大出力がアームの挟む力として伝わるように構成にしたことを特徴とするフレコンほぐし機。
【請求項２】
アーム駆動油圧シリンダーの先端金具を取付けるピンのセンターを同油圧シリンダーの反ロット側の取付ピンのセンターより、アームの反対側にずらすことにより、アームを支えているスライドメタルにかかる力を少なくする構造を特徴とするフレコンほぐし機。
【請求項３】
ほぐしアームを取付けるスライドメタルを５分割にし隙間を持たせ個々に抜き差しできる構造にし、両端をスライドメタル止め金具で抜け出さない構造にした事を特徴とするフレコンほぐし機。
【請求項４】
ほぐしアーム取付枠を支える支柱の、ほぐしアームの取付枠の両側面に取付たベアリングが入る部分の幅を外径より少し広くして、上下にスムーズに動かせる寸法にした事を特徴とするフレコンほぐし機。
【請求項５】
前記請求項４のベアリングを上側はアーム側にずらし、下側はアームの反対側にずらし、アーム取付枠を支える事を特徴とするフレコンほぐし機。
【請求項６】
ほぐしアームの取付枠の後ろの両脇に、両側の支柱の幅より少し狭い幅にベアリングを取付けて、アーム取付枠が横にずれないようにした事を特徴とするフレコンほぐし機。
【請求項７】
ほぐしアーム取付枠の上下に油圧シリンダーを使用する事を特徴とするフレコンほぐし機。
【請求項８】
回転テーブルの回転に往復油圧シリンダーを使用する事を特徴とするフレコンほぐし機。
【請求項９】
回転テーブルの中心に軸を設け、外周の下に荷重を支えるベアリングを配置した構造を特徴とするフレコンほぐし機。
【請求項１０】
回転テーブルの前側にテーブル保護板を設ける構造を特徴とするフレコンほぐし機。
【発明の詳細な説明】
【技術分野】
【０００１】  この発明は、固結したフレコンをほぐして内容物を排出できるようにする技術である。
【背景技術】
【０００２】  フレコンから固結した内容物を排出するのは非常に難しく、棒でたたいたり、突っついたり、落下させたり、フォークリフトで押しつぶしたり、挟んだりしていますが、人力でほぐすのは難く、フォークリフトは目的外の使用となり安全上の問題があります。また、ほぐし程度の均一化の為、ほぐしを自動化することも求められるようになりました。
【発明の開示】
【発明が解決しようとする課題】
【０００３】  固結したフレコンをほぐしてフレコン下部の排出口から排出できるようにする装置を工場で製作して、自動車で運搬できるようにコンパクトにまとめたものを供給することと、ほぐし専用機を供給することを課題とする。
【課題を解決するための手段】
【０００４】  上記の課題を解決するために、ほぐしアームを動かすアーム駆動油圧シリンダーのロット先端金具をアームの挟む方向に向けて、挟む方向に取付けた同油圧シリンダー支持体に組み込んで、油圧シリンダーの最大出力がアームの挟む力として伝わるようにすることにより、ほぐし機の幅を狭くし、コンパクトにする事ができる。【０００５】  回転テーブルの駆動に往復油圧シリンダーを用いることにより、テーブルの高さを低くでき、回転力が強力で、回転角度が正確な回転テーブルを作ることができる。【０００６】  回転テーブルの前側にテーブル保護板を設置することにより、フレコン搬送時の衝突による回転テーブルの破損を防ぐ事ができる。
【実施例】
【０００７】  以下、本発明に係わるフレコンほぐし機の実施例について説明する。
図１〜４は、本発明に係わるフレコンほぐし機を示している。本発明に係わるフレコンほぐし機は、アーム駆動油圧シリンダー１と同油圧シリンダーロット先端金具２とほぐしアーム３とアーム駆動油圧シリンダー支持体４と同油圧シリンダーロット先端金具ピン５と同油圧シリンダー反ロット側取付ピン６とスライドメタル７とスライドメタル止め金具８とほぐしアーム支持枠９と同支持枠を支える支柱１０と同支持枠両側面ベアリング１１と同支持枠後ろの両脇に取付けられたベアリング１２と同支持枠を上下させる油圧シリンダー１３と回転テーブル１４と同テーブルを回転させる往復油圧シリンダー１５と同テーブル支持軸１６と同テーブルのの下に配置されたベアリング１７と同テーブルの前側に設置された回転テーブル保護板１８で構成されている。
【図面の簡単な説明】
【０００８】
【図１】  本発明の、一実施形態示す平面図及び、立面図である。
【符号の説明】      １  アーム駆動油圧シリンダー
２  アーム駆動油圧シリンダーロット先端金具
３  ほぐしアーム
４  アーム駆動油圧シリンダー支持体
５  アーム駆動油圧シリンダーロット先端金具ピン
６  アーム駆動油圧シリンダー反ロット側取付ピン
７  スライドメタル
８  スライドメタル止め金具
９  ほぐしアーム支持枠
１０  ほぐしアーム支持枠支柱
１１  ほぐしアーム支持枠両側面ベアリング
１２  ベアリング
１３  支持枠上下油圧シリンダー
１４  回転テーブル
１５  往復油圧シリンダー
１６  回転テーブル支持軸
１７  ベアリング
１８  回転テーブル保護板
【図１】
2014122068.tif 000003
【図２】
2014122068.tif 000004
【図３】
2014122068.tif 000005
【図４】
2014122068.tif 000006
【手続補正書】
【提出日】平成25年2月8日(2013.2.8)
【手続補正１】
【補正対象書類名】明細書
【補正対象項目名】０００８
【補正方法】変更
【補正の内容】
【０００８】
【図１】  アーム駆動油圧シリンダー取付平面図
【図２】  回転テーブル取付平面図
【図３】  スライドメタル取付側面図
【図４】  ほぐしアーム支持枠支柱側面図
【符号の説明】
１  アーム駆動油圧シリンダー
２  アーム駆動油圧シリンダーロット先端金具
３  ほぐしアーム
４  アーム駆動油圧シリンダー支持体
５  アーム駆動油圧シリンダーロット先端金具ピン
６  アーム駆動油圧シリンダー反ロット側取付ピン
７  スライドメタル
８  スライドメタル止め金具
９  ほぐしアーム支持枠
１０  ほぐしアーム支持枠支柱
１１  ほぐしアーム支持枠両側面ベアリング
１２  ベアリング
１３  支持枠上下油圧シリンダー
１４  回転テーブル
１５  往復油圧シリンダー
１６  回転テーブル支持軸
１７  ベアリング
１８  回転テーブル保護板
(57)【要約】      （修正有）【課題】容器から外した蓋が安定して容器に保持されることにより、蓋の転落の心配がなくなる。そのため蓋をはずした容器に物を差し込んだままにしておくことも容易になる。また、蓋を別途置く場所も不要になり、蓋や周囲の汚染も防ぐことができる蓋を提供する。【解決手段】蓋１に切れ込み２を設け、容器３にこの切れ込み２をはめることができる蓋を特徴とする。容器から外した蓋１に切れ込み２を設け、容器３にこの切れ込み２をはめることで、蓋が安定して容器に保持されることにより、蓋の転落の心配がなくなる。そのため蓋をはずした容器に物を差し込んだままにしておくことも容易になる。また、蓋を別途置く場所も不要になり、蓋や周囲の汚染も防ぐことができる。【選択図】図１
2014122069.tif 000002
【特許請求の範囲】
【請求項１】
切れ込み（２）を設けて、容器（３）に保持されることができるようにした蓋（１）。
【発明の詳細な説明】
【技術分野】
【０００１】  この発明は、容器に保持されることができるようにした蓋に関するものである。
【背景技術】
【０００２】  従来、容器から外した蓋は、容器に安定して保持されることができなかった。
【先行技術文献】
【特許文献】
【０００３】
【特許文献１】
【発明の概要】
【発明が解決しようとする課題】
【０００４】  これは、次のような欠点があった。
従来、容器から外した蓋を、容器の上に置く場合は不安定であり、容器の上以外に置く場合にも置く場所が必要で、蓋や周囲を汚す恐れもあった。
本発明はこのような欠点をなくすためになされたものである。
【課題を解決するための手段】
【０００５】  蓋（１）に切れ込み（２）を設け、この切れ込み（２）を容器（３）にはめることができるようにする。
【発明の効果】
【０００６】  容器から外した蓋が安定して容器に保持されることにより、蓋の転落の心配がなくなる。そのため蓋をはずした容器に物を差し込んだままにしておくことも容易になる。また、蓋を別途置く場所も不要になり、蓋や周囲の汚染も防ぐことができる。
【図面の簡単な説明】
【０００７】
【図１】本発明の斜視図である。
【図２】本発明の斜視図である。
【発明を実施するための形態】
【０００８】  以下、本発明を実施するための形態について説明する。
容器の蓋（１）に切れ込み（２）を設ける。
本発明は、以上のような構造である。
これを使用するときは、切れ込み（２）を容器（３）の口部分にはめることにより、蓋（１）が安定して容器（３）に保持されるようにすることができる。
【符号の説明】
【０００９】  １  蓋
２  切れ込み
３  容器
【図１】
2014122069.tif 000003
【図２】
2014122069.tif 000004